(57)【特許請求の範囲】
【請求項１】
テン輪（１）とひげゼンマイ（４）とを有し、
前記テン輪（１）は、釣り合わせネジ（２ａ、２ｂ）を具備し、ムーブメントの地板とテンプ・コック（１０）との間に軸止され、
前記テンプ・コック（１０）は、インデックス部材（２０）を支持し、
前記釣り合わせネジ（２ａ、２ｂ）と、前記テンプ・コック（１０）と前記インデックス部材（２０）に具備された締め付け装置とにより、ひげゼンマイ・テンプを微調整するひげゼンマイ・テンプの微調整装置において、
前記テンプ・コック（１０）は、前記ひげゼンマイ（４）の一端を締め付ける第１装置を含む第１ラグ（１１）を具備し、
前記第１装置は、前記第１ラグ（１１）を延ばすあぶみ（１２）の形態の固定アームを含み、そこに第１のフランジ付きネジ部材（１９）により操作可能なＬ字型揺動要素（１３）がヒンジで留められ、
前記インデックス部材（２０）は、前記ひげゼンマイ（４）の外側湾曲部（４ａ）を締め付ける第２装置（２２、２３）を含む延長部（２１）を具備し、第２のフランジ付きネジ部材（２９）により操作され、
前記第２装置（２２、２３）は、前記延長部（２１）を延ばすあぶみ（２２）の形態の固定アームを含み、そこに第２のフランジ付きネジ部材（２９）により操作可能なＬ字型揺動要素（２３）がヒンジで留められ、
前記テンプ・コック（１０）は、第２ラグ（３０）を具備し、
前記第２ラグ（３０）は、前記インデックス部材（２０）の環状延長部（３１）の矩形開口（３２）を介して、前記ラグ（３０）内にねじ込まれるネジ部材（９）により形成される第３の締め付け装置を含み、
これにより、前記インデックス部材を所定の位置に固定し、
前記３個のネジ部材（９、１９、２９）により微調整が可能となる
ことを特徴とするひげゼンマイ・テンプの微調整装置。
【請求項２】
テン輪（１）とひげゼンマイ（４）とを有し、
前記テン輪（１）は、釣り合わせネジ（２ａ、２ｂ）を具備し、ムーブメントの地板とテンプ・コック（１０）との間に軸止され、
前記テンプ・コック（１０）は、インデックス部材（２０）を支持し、
前記釣り合わせネジ（２ａ、２ｂ）と、前記テンプ・コック（１０）と前記インデックス部材（２０）に具備された締め付け装置とにより、ひげゼンマイ・テンプを微調整するひげゼンマイ・テンプの微調整装置において、
前記インデックス部材（２０）は、第１ラグ（２１）を具備し、そこにひげゼンマイ（４）の外側湾曲部（４ａ）を締め付ける第１装置が固定され、
前記第１装置は、第１ラグ（２１）に固定された固定あご部（３５）と可動あご部（３３）とを有し、前記可動あご部（３３）は、台形頭部ネジ部材（３９）により操作可能であり、
前記テンプ・コック（１０）は、前記ひげゼンマイ（４）の一端を締め付ける第２装置（４３、４５）を具備し、
前記第２装置（４３、４５）は、ラグ（４７）に固定された固定あご部（４５）と可動あご部（４３）とを有し、前記テンプ・コック（１０）に固定されたプレート（４７）に取り付けられ、前記台形頭部ネジ部材（４９）により操作され、
前記テンプ・コック（１０）は、前記インデックス部材（２０）の環状延長部（３１）の矩形開口（３２）を介して、前記ラグ（３０）内にねじ込まれたネジ部材（９）により形成される第３締め付け装置を含む第２ラグ（３０）を具備し、
これにより、前記インデックス部材を所定の位置に固定し、
前記３個のネジ部材（９、３９、４９）により微調整が可能となる
ことを特徴とするひげゼンマイ・テンプの微調整装置。
【請求項３】
前記揺動要素（１３、２３）は、大型アーム（１５、２５）と小型Ｌ字型アーム（１４、２４）により形成され、上部リップ（１６、２６）と底部リップ（１８、２８）により形成されるノッチ（１４ａ、２４ａ）を含み、
前記関連して配置されたネジ部材（１９、２９）のフランジが、前記あぶみ（１２、２２）と前記大型アーム（１５、２５）により形成されるクランプを開閉する
ことを特徴とする請求項１記載の微調整装置。
【請求項４】
前記揺動要素（１３、２３）の上部リップ（１６、２６）は、前記ノッチ（１４ａ、２４ａ）の方向に傾斜した面（１６ａ、２６ａ）を有し、
前記ノッチは、前記締め付けネジ部材（１９、２９）のフランジの傾斜面（１９ａ、２９ａ）に対応して、前記ネジ部材を緩めることにより、クランプを開く
ことを特徴とする請求項３記載の微調整装置。
【請求項５】
前記揺動要素（１３、２３）の底部リップ（１８、２８）は、前記上部リップ（１６、２６）よりも長く、前記締め付けネジ部材（１９、２９）のフランジの下に延びてねじ込まれることにより、あご部を閉じる
ことを特徴とする請求項３記載の微調整装置。
【請求項６】
前記揺動要素（１３、２３）の大型アーム（１５、２５）は、前記あぶみ（１２、２２）がベースに当接する端部で、シュー（１７、２７）を形成し、前記ひげゼンマイ（４）の外側湾曲部（４ａ）に対応する湾曲部を有する
ことを特徴とする請求項１記載の微調整装置。
【請求項７】
前記テンプ（１）の釣り合わせネジ（２ａ、２ｂ）は、切断面を有する円筒状ヘッドを有する
ことを特徴とする請求項１または２記載の微調整装置。
【請求項８】
前記インデックス部材（２０）は、さらに、テール（２０ａ）を具備し、戻りスプリング（８）の力に対抗して、前記ネジ部材（７）により操作される
ことを特徴とする請求項１または２記載の微調整装置。
【発明の詳細な説明】
【技術分野】
【０００１】
本発明は、等時性（isochronism）調整を容易且つ信頼性高く長期にわたって実行するために、インデックス組立体からなるひげゼンマイ・テンプ（sprung balance）の微調整装置に関する。以下ひげゼンマイ・テンプを単にテンプとも称する。さらに本発明は、微調整方法、すなわち時計にビート（刻み）を打たせる（putting watch into beat）ことから最終調整にわたって操作する方法に関する。初期操作と最終操作を特定の構造による一個の微細調整装置手段によって実行する。
【背景技術】
【０００２】
公知のように、インデックス組立体は、テンプ・コック上に搭載される部品の組から形成される。すなわち、ひげゼンマイ（balance spring)の外側カーブの端部を固定するひげゼンマイ支柱と、上部テンプ端部部品（top balance endpiece）上に摩擦接合するインデックス部材とから構成される。この上部テンプ端部部品は、ピンと／またはひげゼンマイ・バックル用のテンプ・コックを越えて伸びる延長部を有する。さらに他端に、そこに配置されたネジがスプリングの跳ね返り力に抗して作動するインデックス部材のテールとを有する。これにより、小角度だけインデックス部材を回転させ、ひげゼンマイの有効長を変更している。
【０００３】
インデックス組立体の構造は、複数の変形例あるいは改良点があり、特に、ひげゼンマイの外部端を固定する手段とひげゼンマイの有効長を決める手段に対する変形例がある。
【０００４】
これらの構造体の調整手段あるいは固定手段は通常複雑であり、調整操作を難しくし、特に時間の微細調整を難しくしている。
【発明の開示】
【発明が解決しようとする課題】
【０００５】
本発明の目的は、前記した従来技術の欠点を解決することである。本発明は、締め付け／固定装置の特定の構造により、取り扱いを容易にするような装置を提供し、これにより単一の微調整装置によりビートを打たせることとその精度／速度（setting into beat and the rate）を調整している。この構成は、ビートを打たせることを調整するために可動支柱搭載部品の使用を無くすことができる。
【０００６】
それ故に本発明はひげゼンマイ・テンプの微調整装置に関する。テンプは、従来と同様にそのアームにねじ込まれた釣り合わせネジ（poising screw）を含み、プレート（地板）とテンプ・コックとの間に軸支される軸を有する。その上部テンプ端部部品により、スプリングの戻る力に抗してインデックス部材のテールを押しつける調整ネジ部材により、方向変更が可能なインデックス部材を摩擦適合搭載することが可能となる。ひげゼンマイは、公知の手段によりテンプ部材上のコレットにピンで留められ、ビートを打たせ、等時性調整する。ひげゼンマイは、微調整ネジにより固定された外側湾曲部と、テンプ・コックとインデックス上の締め付け／固定手段とを有する。その特徴を次ぎに説明する。
【課題を解決するための手段】
【０００７】
テンプ・コックは、曲げあぶみ（bent stirrup）により延びた第１ラグ（突起部）を具備する。この曲げあぶみの脚部はひげゼンマイの外側湾曲部と同程度延びる。第１締め付け装置は、Ｌ字型揺動要素から構成され、ヒンジで取り付けられ、その小型アームは前記ラグにねじ込まれたフランジの付いたネジ部材により操作され、その大型アームを軸支し、ひげゼンマイの端部に対し、あぶみの脚部の内側表面でクランプを形成する。このインデックス部材は、インデックス・テールの対向する側の延長部上に、第１締め付け装置と同一設計の第２締め付け装置を有する。すなわち、Ｌ字型揺動要素がヒンジで取り付けられたあぶみを有する。そのフランジの付いたネジ部材がねじ込まれると、ひげゼンマイの外側の湾曲部の所定の位置を固定するクランプを形成し、これにより有効長を決定する。
【０００８】
テンプ・コックは、第２ラグを有し、この中に第３のネジ部材が、インデックスの延長部上に延びる環状舌状部材内の矩形開口を貫通してねじ込まれる。このネジ部材は、微調整ネジ部材をねじ込むことあるいはネジを緩めることにより、所定の位置にインデックス部材を固定する。これら３種類の締め付け／固定ネジ部材の軸は、テンプ部品に平行であり、それらは装置の同一側から全てアクセス可能であり、これにより調整操作が容易となる。
【０００９】
この構造により、ひげゼンマイの外側湾曲上に所定の締め付け力をバックルに直交してかけることができる。バックルを変形させずに、あぶみとＬ字型揺動要素により構成されるクランプに対向する表面を、ひげゼンマイの外側湾曲部と同一の湾曲度にすることが出来る。
【実施例】
【００１０】
図１、２はそれぞれ、本発明の第１実施例のテンプ（テン輪とひげゼンマイからなる部品）の上面図と底面図である。ここに示された組立体は、機械式時計のムーブメント（図示せず）のプレート（地板）に固定される。この実施例において、テン輪１は、２個のアーム１ａ、１ｂを有し、そこに釣り合わせネジ２ａ、２ｂがねじ込まれ、その心棒３が地板（図示せず）とテンプ・コック１０との間に軸支される。従来方法により、図２の示すところによれば、テン輪１は小ローラー６ａと大ローラー６ｂとを有し、大ローラー６ｂはインパルスピン６ｃを具備する。受け座５によりひげゼンマイ４の中心の湾曲部がテン輪１の心棒３に取り付けられる。
【００１１】
図１を参照すると、テンプ・コック１０はインデックス部材２０を有し、このインデックス部材２０は上部テンプ・エンドピース１０ａに摩擦で取り付けられている。インデックス部材２０のテール２０ａの方向は微調整ネジ７により変更される。この微調整ネジ７は、インデックス部材２０のテール２０ａに当たり、雁首形スプリング８の戻る力に抗して押す。雁首形スプリング８は、２個のネジ８ａによりテンプ・コック１０に固定され、微調整ネジ７が雁首形スプリング８の一端を貫通している。
【００１２】
テンプ・コック１０は、クランプを形成する第１の締め付け装置を具備した第１ラグ１１を有する。この締め付け装置は、第１ラグ１１と一体に構成された曲げあぶみ１２により形成され、その脚部１２ａ、１２ｂは、ひげゼンマイ４の位置まで伸びる。脚部１２ａ、１２ｂにＬ字型揺動要素１３がヒンジで取り付けられ、これは、第１フランジ付き締め付けネジ部材１９により操作され、ひげゼンマイ４の外側湾曲部４ａの端部を固定するためのクランプを形成する。このクランプ組立体の詳細な記載および操作を以下説明する。
【００１３】
同様に、インデックス部材２０は、テール２０ａの反対側に曲げあぶみ２２により延びた延長部２１により形成される第２の締め付けクランプ装置を有する。曲げあぶみ２２にＬ字型揺動要素がヒンジで取り付けられ、外側湾曲部４ａの一部をクランプし、かくして第２フランジ付き締め付けネジ部材２９を操作することにより、ひげゼンマイ４の有効長を決定する。延長部２１は、さらに、その一側に、環状舌形状部３１を有し、この環状舌形状部３１はテンプ・コック１０の第２突起部３０に延びる。環状舌形状部３１は矩形開口３２を有し、その中にネジ部材９がねじ込まれてインデックス部材２０を所定の位置に固定する。この操作が行われるのは、微調整ネジ７の手段によりその方向調整された後である。
【００１４】
この実施例からわかるように、３個のネジ部材９、１９、２９と、２個の釣り合わせネジ２ａ、２ｂは、全てテンプ心棒と平行な方向に沿って同一側からアクセスできる。
【００１５】
ひげゼンマイ４の外側湾曲部４ａを固定するクランプは、図３と図４ａを参照して説明する。図４ａは、Ｌ字型揺動要素１３によりテンプ・コック１０に形成されたクランプとテンプ心棒を通るラインの断面図を示す。この図ではこのクランプは開放状態である。
【００１６】
Ｌ字型揺動要素１３は、小型アーム１４と大型アーム１５とヒンジ１３ａとを含む。ヒンジ１３ａは、例えばテンプ・コック１０の曲げあぶみ１２内の対応する開口に係合する２本の支柱により形成される。
【００１７】
小型アーム１４は、上部リップ１６と底部リップ１８により形成されるノッチ１４ａを有する。上部リップ１６は、ノッチ１４ａの内側に向いた傾斜面１６ａを有する。この傾斜面１６ａは、フランジ付き締め付けネジ部材１９の傾斜面１６ｂと共働して、Ｌ字型揺動要素１３をピボット状態に固定する。前記ネジ部材１９のネジを緩めることによりクランプを開放する。底部リップ１８は、上部リップ１６よりも長く、フランジ付き締め付けネジ部材１９のフランジ下に延びて、その結果このネジ部材１９をねじることによりクランプを閉じる（図４Ｂ）。
【００１８】
大型アーム１５は、そのベースにシュー１７を有する。シュー１７の端部は、あぶみ１２の脚部１２ａ、１２ｂの内側表面に向いた各側上に延びる。シュー１７と脚部１２ａ、１２ｂは、ひげゼンマイ４の外側湾曲部４ａと同じ湾曲形状を有し、その結果クランプを締め付けても、ひげゼンマイ４の細長部材の変形を引き起こすことはない。
【００１９】
インデックス部材２０の場所に揺動要素２３により形成されるクランプは、図５では閉じた状態の断面図で示されており、前述したものと全く同一の特徴を有する。第２フランジ付き締め付けネジ部材２９により操作される揺動要素２３は、ノッチ２４ａを具備した小型アーム２４と、底部リップ２８と、大型アーム２５とを有する。ノッチ２４ａは、第２フランジ付き締め付けネジ部材２９のフランジの傾斜面２６ｂと共働する傾斜面２６ａを具備した上部リップ２６により形成される。一方大型アーム２５は、そのベースで曲げあぶみ２２の脚部２２ａ、２２ｂに対向するシュー２７になる。
【００２０】
上記した装置により、以下に説明する操作／ステップを連続して実行することによりひげゼンマイを調整できる。
【００２１】
１．ビート状態にするステップ
第１に、第１フランジ付き締め付けネジ部材１９のネジを緩めて、テンプ・コック１０に固定されているクランプを開放状態にし、且つネジ部材９を緩めてインデックス部材２０により第１の粗い調整を実行する。その後、微調整をテール２０ａに働く微調整ネジ７を操作して、ネジ部材９を次に第１フランジ付き締め付けネジ部材１９を締め付ける。
【００２２】
２．等時性調整ステップ
先ず、第２フランジ付き締め付けネジ部材２９のネジを緩めて、インデックス部材２０に固定されているクランプを開放状態にし、その後ネジ部材９を緩める。その後ひげゼンマイ４の取り付け角度を微調整ネジ７を操作することにより変えて、等時性を最適化し、その後ネジ部材９をそして次に第１フランジ付き締め付けネジ部材１９を再び締め付ける。
【００２３】
３．粗い調整ステップ
テンプの慣性モーメントを変更すべき比率を、釣り合わせネジ２ａ、２ｂの手段により調整する。
【００２４】
４．微調整ステップ
先ず、第２フランジ付き締め付けネジ部材２９のネジを緩めて、インデックス部材２０に固定されているクランプを開き、その後第１フランジ付き締め付けネジ部材１９を緩める。微調整ネジ７を動かすことにより微調整を実行する。このステップにおいて、等時性のわずかな変化が期待できる。最後に、先ずネジ部材９を次に第２フランジ付き締め付けネジ部材２９を再び締め付ける。
【００２５】
上記したように、微調整ネジ７を除いて、調整を実行する他の全てのネジは、同一サイドからアクセス可能である。
【００２６】
図６−１０を参照すると、ここに開示された第２実施例は、締め付け装置を活性化させる点で、第１実施例と異なる。共通な部品、すなわち大きな変更を受けない部品は、同一参照番号で示し、それについては再度説明しない。
【００２７】
先ず第１に、インデックス部材２０は、開放リングがより単純な形状をしており、インデックス・テールと、微調整ネジ７とネジ部材９により形成される調整装置を具備していない。このような単純化は、第１実施例にも同様に適用できる。インデックス部材２０は、矩形開口３２を具備した環状舌形状部３１を有する。この矩形開口３２内にテンプ・コック１０の第２突起部３０内にねじ込まれるネジ部材９が係合し、インデックス部材２０を図９に示す位置に固定する。
【００２８】
インデックス部材２０は、延長部２１を有し、そこに締め付け装置が搭載される。この締め付け装置は揺動要素を具備しないが、可動あご部３３とＬ字型固定あご部３５を含む万力（vise）として働く。Ｌ字型固定あご部３５は、小型アーム３４と大型アーム３６とを有する。小型アーム３４は、２個の支柱３４ａ、３４ｂに組み込まれるあるいはリベットで取り付けられる延長部２１に固定される。一方大型アーム３６は、円錐状頭部ネジ部材３９が貫通する。小型アーム３４上にガイドキャッチ３３ａを含む可動あご部３３を操作する。プレートに平行な方向に円錐状頭部ネジ部材３９をねじ込むあるいは緩めることにより、ひげゼンマイ４の外側カーブを固定する、あるいは開放して、調整操作を実行できる。
【００２９】
ひげゼンマイ４を固定するために、万力である固定あご部４５を形成する第２締め付け装置は、第１の締め付け装置と同様に、プレート４７に搭載される。このプレート４７は、ネジ部材４８ａ、支柱４８ｂの手段により、テンプ・コック１０に固定される。前述したように、かくして固定あご部４５と可動あご部４３が、円錐状頭部ネジ部材４９を介して組み立てられ、テンプを容易に調整できるようにしている。
【００３０】
第２実施例の操作は、第１実施例と同一であり、説明は割愛する。
【００３１】
本発明の範囲を逸脱することなく当業者は、本発明の実施例の変形例を容易に実施することができる。例えば、Ｌ字型の揺動要素を異なる形状にすること、あるいはその方向を１８０°変更することも本発明の範囲に含まれる。
【００３２】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００３３】
【図１】本発明の第１実施例によるテンプの上部斜視図。
【図２】図１のテンプの底部斜視図。
【図３】図の矢印IIIに沿った締め付け装置の拡大底面図。
【図４Ａ】テンプ・コックの締め付け装置が開放状態にある断面図。
【図４Ｂ】テンプ・コックの締め付け装置が閉鎖状態にある断面図。
【図５】インデックスで閉鎖位置にある締め付け装置の断面図。
【図６】本発明の第２実施例によるテンプの上部斜視図。
【図７】図６のインデックスの底部斜視図。
【図８】図６の線ＶIIIに沿った部分断面図。
【図９】図６の線IXに沿った部分断面図。
【図１０】図６の線Xに沿った部分断面図。
【符号の説明】
【００３４】
１  テン輪
１ａ、１ｂ  アーム
２ａ、２ｂ  釣り合わせネジ
３  心棒
４  ひげゼンマイ
４ａ  外側湾曲部
５  受け座
６ａ  小ローラー
６ｂ  大ローラー
６ｃ  インパルスピン
７  微調整ネジ
８  雁首形スプリング
９  ネジ部材
１０  テンプ・コック
１０ａ  上部テンプ・エンドピース
１１  第１突起部
１２  曲げあぶみ
１２ａ、１２ｂ  脚部
１３  Ｌ字型揺動要素
１３ａ  ヒンジ
１４  小型アーム
１５  大型アーム
１６  上部リップ
１６ａ  傾斜面
１６ｂ  傾斜面
１７  シュー
１８  底部リップ
１９  第１フランジ付き締め付けネジ部材
２０  インデックス
２０ａ  テール
２１  延長部
２２  曲げあぶみ
２２ａ  脚部
２２ｂ  脚部
２３  揺動要素
２４  小型アーム
２４ａ  ノッチ
２５  大型アーム
２６  上部リップ
２６ａ  傾斜面
２６ｂ  傾斜面
２７  シュー
２８  底部リップ
２９  第２フランジ付き締め付けネジ部材
３０  第２突起部
３１  環状舌形状部
３２  矩形開口
３３  可動あご部
３３ａ  ガイドキャッチ
３４  小型アーム
３４ａ、３４ｂ  支柱
３５  Ｌ字型固定あご部
３６  大型アーム
３９  円錐状頭部ネジ部材
４３  可動あご部
４５  固定あご部
４７  プレート
４８ａ  ネジ部材
４８ｂ  支柱
４９  円錐状頭部ネジ部材
【図１】
0004409443.tif 000002
【図２】
0004409443.tif 000003
【図３】
0004409443.tif 000004
【図４Ａ】
0004409443.tif 000005
【図４Ｂ】
0004409443.tif 000006
【図５】
0004409443.tif 000007
【図６】
0004409443.tif 000008
【図７】
0004409443.tif 000009
【図８】
0004409443.tif 000010
【図９】
0004409443.tif 000011
【図１０】
0004409443.tif 000012